【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を備える、方法。
【請求項２】
前記ＣＳＩ構成に少なくとも部分的に基づいてＣＳＩリポートを送信することをさらに備え、ここにおいて、前記通信することが、前記ＣＳＩリポートに少なくとも部分的に基づいてダウンリンク（ＤＬ）シグナリングを受信することを備える、
請求項１に記載の方法。
【請求項３】
前記ＣＳＩリポートがプリコーディング行列インジケータ（ＰＭＩ）を備え、ここにおいて、前記ＰＭＩが前記ＲＩに少なくとも部分的に基づく、請求項２に記載の方法。
【請求項４】
前記ＣＳＩ構成に少なくとも部分的に基づいてＣＳＩリポートを受信することをさらに備え、ここにおいて、前記通信することが、前記ＣＳＩリポートに少なくとも部分的に基づいてＤＬシグナリングを送信することを備える、
請求項１に記載の方法。
【請求項５】
前記ＣＳＩリポートがＰＭＩを備え、ここにおいて、前記ＰＭＩが前記ＲＩに少なくとも部分的に基づく、請求項４に記載の方法。
【請求項６】
前記ＵＥカテゴリーの指示を送信することをさらに備え、ここにおいて、前記ＵＥカテゴリーの前記指示がランクを示す、
請求項１に記載の方法。
【請求項７】
前記ＵＥカテゴリーの指示を受信することをさらに備え、ここにおいて、ＵＥカテゴリーの前記指示がランクを示す、
請求項１に記載の方法。
【請求項８】
前記通信することのためのチャネルを表す行列を推定することと、
デフォルトＲＩに少なくとも部分的に基づいてＰＭＩを選択することと、
前記ＰＭＩに対応するチャネル品質インジケータ（ＣＱＩ）を決定することと、ここにおいて、前記通信することが、前記ＣＱＩと前記ＰＭＩとを送信することを備える、
をさらに備える、請求項１に記載の方法。
【請求項９】
前記ＣＳＩ構成が周期的リポーティング構成を備え、前記通信することは、
ＰＭＩ、ＲＩ、またはＣＱＩが送信のために利用可能である場合、制御チャネルを使用して前記ＰＭＩ、前記ＲＩ、または前記ＣＱＩのうちの少なくとも１つを送信することと、前記ＰＭＩ、前記ＲＩまたは前記ＣＱＩが送信のために利用不可能である場合、前記制御チャネルを送信することを控えることと
を備える、請求項１に記載の方法。
【請求項１０】
ＵＥのカテゴリーに少なくとも部分的に基づいて、チャネル推定のために使用するための基準信号タイプを識別することと、
前記識別された基準信号タイプの基準信号を使用してＰＭＩまたはＣＱＩのうちの少なくとも１つを決定することと、ここにおいて、前記通信することが、前記ＰＭＩまたは前記ＣＱＩを送信することを備える、
をさらに備える、請求項１に記載の方法。
【請求項１１】
前記識別された基準信号タイプがセル固有基準信号（ＣＲＳ）を備える、請求項１０に記載の方法。
【請求項１２】
ワイヤレス通信のための装置であって、
チャネル状態情報（ＣＳＩ）リポーティングのためのランクインジケータ（ＲＩ）フィードバックパラメータを指定する送信モードを識別するための手段と、
ユーザ機器（ＵＥ）カテゴリーを識別するための手段と、
前記ＵＥカテゴリーに少なくとも部分的に基づいて、ＣＳＩ構成がＲＩを除外すると決定するための手段と、
前記ＣＳＩ構成に従って前記送信モードを使用して通信するための手段と
を備える、装置。
【請求項１３】
前記ＣＳＩ構成に少なくとも部分的に基づいてＣＳＩリポートを送信するための手段をさらに備え、ここにおいて、通信するための前記手段が、前記ＣＳＩリポートに少なくとも部分的に基づいてダウンリンク（ＤＬ）シグナリングを受信するための手段を備える、請求項１２に記載の装置。
【請求項１４】
前記ＣＳＩリポートがプリコーディング行列インジケータ（ＰＭＩ）を備え、ここにおいて、前記ＰＭＩが前記ＲＩに少なくとも部分的に基づく、請求項１３に記載の装置。
【請求項１５】
実行されたとき、装置に、請求項１〜１１のいずれか一項に記載のステップを実行させる命令を備えるコンピュータプログラム。
【手続補正２】
【補正対象書類名】明細書
【補正対象項目名】０１５７
【補正方法】変更
【補正の内容】
【０１５７】
[00161]添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
以下に、本願の出願当初の特許請求の範囲に記載された発明を付記する。
［Ｃ１］
ワイヤレス通信の方法であって、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を備える、方法。
［Ｃ２］
前記ＣＳＩ構成に少なくとも部分的に基づいてＣＳＩリポートを送信することをさらに備え、ここにおいて、前記通信することが、前記ＣＳＩリポートに少なくとも部分的に基づいてダウンリンク（ＤＬ）シグナリングを受信することを備える、
Ｃ１に記載の方法。
［Ｃ３］
前記ＣＳＩリポートがプリコーディング行列インジケータ（ＰＭＩ）を備え、ここにおいて、前記ＰＭＩが前記ＲＩに少なくとも部分的に基づく、Ｃ２に記載の方法。
［Ｃ４］
前記ＣＳＩ構成に少なくとも部分的に基づいてＣＳＩリポートを受信することをさらに備え、ここにおいて、前記通信することが、前記ＣＳＩリポートに少なくとも部分的に基づいてＤＬシグナリングを送信することを備える、
Ｃ１に記載の方法。
［Ｃ５］
前記ＣＳＩリポートがＰＭＩを備え、ここにおいて、前記ＰＭＩが前記ＲＩに少なくとも部分的に基づく、Ｃ４に記載の方法。
［Ｃ６］
前記ＵＥカテゴリーの指示を送信することをさらに備え、ここにおいて、前記ＵＥカテゴリーの前記指示がランクを示す、
Ｃ１に記載の方法。
［Ｃ７］
前記ＵＥカテゴリーの指示を受信することをさらに備え、ここにおいて、ＵＥカテゴリーの前記指示がランクを示す、
Ｃ１に記載の方法。
［Ｃ８］
前記通信することのためのチャネルを表す行列を推定することと、
デフォルトＲＩに少なくとも部分的に基づいてＰＭＩを選択することと、
前記ＰＭＩに対応するチャネル品質インジケータ（ＣＱＩ）を決定することと、ここにおいて、前記通信することが、前記ＣＱＩと前記ＰＭＩとを送信することを備える、
をさらに備える、Ｃ１に記載の方法。
［Ｃ９］
前記ＣＳＩ構成が周期的リポーティング構成を備え、前記通信することは、
ＰＭＩ、ＲＩ、またはＣＱＩが送信のために利用可能である場合、制御チャネルを使用して前記ＰＭＩ、前記ＲＩ、または前記ＣＱＩのうちの少なくとも１つを送信することと、前記ＰＭＩ、前記ＲＩまたは前記ＣＱＩが送信のために利用不可能である場合、前記制御チャネルを送信することを控えることと
を備える、Ｃ１に記載の方法。
［Ｃ１０］
ＵＥのカテゴリーに少なくとも部分的に基づいて、チャネル推定のために使用するための基準信号タイプを識別することと、
前記識別された基準信号タイプの基準信号を使用してＰＭＩまたはＣＱＩのうちの少なくとも１つを決定することと、ここにおいて、前記通信することが、前記ＰＭＩまたは前記ＣＱＩを送信することを備える、
をさらに備える、Ｃ１に記載の方法。
［Ｃ１１］
前記識別された基準信号タイプがセル固有基準信号（ＣＲＳ）を備える、Ｃ１０に記載の方法。
［Ｃ１２］
ワイヤレス通信のための装置であって、
チャネル状態情報（ＣＳＩ）リポーティングのためのランクインジケータ（ＲＩ）フィードバックパラメータを指定する送信モードを識別するための手段と、
ユーザ機器（ＵＥ）カテゴリーを識別するための手段と、
前記ＵＥカテゴリーに少なくとも部分的に基づいて、ＣＳＩ構成がＲＩを除外すると決定するための手段と、
前記ＣＳＩ構成に従って前記送信モードを使用して通信するための手段と
を備える、装置。
［Ｃ１３］
前記ＣＳＩ構成に少なくとも部分的に基づいてＣＳＩリポートを送信するための手段をさらに備え、ここにおいて、通信するための前記手段が、前記ＣＳＩリポートに少なくとも部分的に基づいてダウンリンク（ＤＬ）シグナリングを受信するための手段を備える、Ｃ１２に記載の装置。
［Ｃ１４］
前記ＣＳＩリポートがプリコーディング行列インジケータ（ＰＭＩ）を備え、ここにおいて、前記ＰＭＩが前記ＲＩに少なくとも部分的に基づく、Ｃ１３に記載の装置。
［Ｃ１５］
前記ＣＳＩ構成に少なくとも部分的に基づいてＣＳＩリポートを受信するための手段をさらに備え、ここにおいて、通信するための前記手段が、前記ＣＳＩリポートに少なくとも部分的に基づいてＤＬシグナリングを送信するための手段を備える、
Ｃ１２に記載の装置。
［Ｃ１６］
前記ＣＳＩリポートがＰＭＩを備え、ここにおいて、前記ＰＭＩが前記ＲＩに少なくとも部分的に基づく、Ｃ１９に記載の装置。
［Ｃ１７］
前記ＵＥカテゴリーの指示を送信するための手段をさらに備え、ここにおいて、前記ＵＥカテゴリーの前記指示がランクを示す、
Ｃ１２に記載の装置。
［Ｃ１８］
前記ＵＥカテゴリーの指示を受信するための手段をさらに備え、ここにおいて、ＵＥカテゴリーの前記指示がランクを示す、
Ｃ１２に記載の装置。
［Ｃ１９］
前記通信することのためのチャネルを表す行列を推定するための手段と、
デフォルトＲＩに少なくとも部分的に基づいてＰＭＩを選択するための手段と、
前記ＰＭＩに対応するチャネル品質インジケータ（ＣＱＩ）を決定するための手段と、ここにおいて、前記通信することが、前記ＣＱＩと前記ＰＭＩとを送信することを備える、
をさらに備える、Ｃ１２に記載の装置。
［Ｃ２０］
前記ＣＳＩ構成が周期的リポーティング構成を備え、通信するための前記手段は、
ＰＭＩ、ＲＩまたはＣＱＩが送信のために利用可能である場合、制御チャネルを使用して前記ＰＭＩ、前記ＲＩ、または前記ＣＱＩのうちの少なくとも１つを送信するための手段と、
前記ＰＭＩ、前記ＲＩまたは前記ＣＱＩが送信のために利用不可能である場合、前記制御チャネルを送信することを控えるための手段と
を備える、Ｃ１２に記載の装置。
［Ｃ２１］
ＵＥのカテゴリーに少なくとも部分的に基づいて、チャネル推定のために使用するための基準信号タイプを識別するための手段と、
前記識別された基準信号タイプの基準信号を使用してＰＭＩまたはＣＱＩのうちの少なくとも１つを決定するための手段と、ここにおいて、前記通信することが、前記ＰＭＩまたは前記ＣＱＩを送信することを備える、
をさらに備える、Ｃ１２に記載の装置。
［Ｃ２２］
前記識別された基準信号タイプがセル固有基準信号（ＣＲＳ）を備える、Ｃ１２に記載の装置。
［Ｃ２３］
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を行わせるように動作可能である、
装置。
［Ｃ２４］
前記命令が、前記装置に、
前記ＣＳＩ構成に少なくとも部分的に基づいてＣＳＩリポートを送信することと、
前記ＣＳＩリポートに少なくとも部分的に基づいてダウンリンク（ＤＬ）シグナリングを受信することと
を行わせるように動作可能である、Ｃ２３に記載の装置。
［Ｃ２５］
前記ＣＳＩリポートがプリコーディング行列インジケータ（ＰＭＩ）を備え、ここにおいて、前記ＰＭＩが前記ＲＩに少なくとも部分的に基づく、Ｃ２４に記載の装置。
［Ｃ２６］
前記命令が、前記装置に、
前記ＣＳＩ構成に少なくとも部分的に基づいてＣＳＩリポートを受信することと、
前記ＣＳＩリポートに少なくとも部分的に基づいてダウンリンク（ＤＬ）シグナリングを送信することと
を行わせるように動作可能である、Ｃ２３に記載の装置。
［Ｃ２７］
前記ＣＳＩリポートがＰＭＩを備え、ここにおいて、前記ＰＭＩが前記ＲＩに少なくとも部分的に基づく、Ｃ２６に記載の装置。
［Ｃ２８］
前記命令が、前記装置に、
前記ＵＥカテゴリーの指示を送信させるように動作可能であり、ここにおいて、前記ＵＥカテゴリーの前記指示がランクを示す、
Ｃ２３に記載の装置。
［Ｃ２９］
前記命令が、前記装置に、
前記ＵＥカテゴリーの指示を受信させるように動作可能であり、ここにおいて、ＵＥカテゴリーの前記指示がランクを示す、Ｃ２３に記載の装置。
［Ｃ３０］
前記命令が、前記装置に、
前記通信することのためのチャネルを表す行列を推定することと、
デフォルトＲＩに少なくとも部分的に基づいてプリコーディング行列インジケータ（ＰＭＩ）を選択することと、
前記ＰＭＩに対応するチャネル品質インジケータ（ＣＱＩ）を決定することと、
前記ＣＱＩと前記ＰＭＩとを送信することと
を行わせるように動作可能である、Ｃ２３に記載の装置。
［Ｃ３１］
前記ＣＳＩ構成が周期的リポーティング構成を備え、前記命令は、前記装置に、
プリコーディング行列インジケータ（ＰＭＩ）、ＲＩまたはＣＱＩが送信のために利用可能である場合、制御チャネルを使用して前記ＰＭＩまたは前記ＣＱＩのうちの少なくとも１つを送信することと、
前記ＰＭＩ、前記ＲＩまたは前記ＣＱＩが送信のために利用不可能である場合、前記制御チャネルを送信することを控えることと
を行わせるように動作可能である、Ｃ２３に記載の装置。
［Ｃ３２］
前記命令が、前記プロセッサに、
ＵＥのカテゴリーに少なくとも部分的に基づいて、チャネル推定のために使用するための基準信号タイプを識別することと、
前記識別された基準信号タイプの基準信号を使用してプリコーディング行列インジケータ（ＰＭＩ）またはＣＱＩのうちの少なくとも１つを決定することと
を行わせるように動作可能であり、ここにおいて、前記通信することが、前記ＰＭＩまたは前記ＣＱＩを送信することを備える、
Ｃ２３に記載の装置。
［Ｃ３３］
前記識別された基準信号タイプがセル固有基準信号（ＣＲＳ）を備える、Ｃ３２に記載の装置。
［Ｃ３４］
ワイヤレス通信のためのコードを記憶する非一時的コンピュータ可読媒体であって、前記コードは、
チャネル状態情報（ＣＳＩ）リポーティングのためのランクインジケータ（ＲＩ）フィードバックパラメータを指定する送信モードを識別することと、
ユーザ機器（ＵＥ）カテゴリーを識別することと、
前記ＵＥカテゴリーに少なくとも部分的に基づいて、ＣＳＩ構成がＲＩを除外すると決定することと、
前記ＣＳＩ構成に従って前記送信モードを使用して通信することと
を行うために実行可能な命令を備える、非一時的コンピュータ可読媒体。